(57)【特許請求の範囲】
【請求項１】
石英斑岩の粉砕物と、光合成細菌と、少なくとも珪素とチタンとを含有するミネラル液を組み合わせて植物栽培用薬剤を形成し、
花芽分化前に前記植物栽培用薬剤を与え、
花芽分化後から開花時期にかけて石英斑岩の粉砕物と、光合成細菌と、有機肥料を組み合わせた薬剤を与えることを特徴とする植物栽培用薬剤を用いた植物の栽培方法。
【発明の詳細な説明】
【０００１】
【発明の属する技術分野】
本発明は、植物の光合成および蒸散速度を速めることができ、大気浄化能力が高く室内の空気浄化装置として利用するのに好適な植物を生育することができる植物栽培用薬剤を用いた植物の栽培方法に関する。
【０００２】
【従来の技術】
植物は光合成に伴い、二酸化炭素や二酸化硫黄、その他の大気汚染物質を吸収して大気を浄化している。植物の葉の裏面には気孔と呼ばれる孔があり、主にこの孔から二酸化炭素や酸素を取り入れ、光合成や呼吸を行っている。
また、同時に気孔から水分を外部に放出する蒸散を行うことによって、葉の温度調節を行うとともに植物体内における養分・水分上昇の原動力としている。この蒸散によって放出される水蒸気は純粋な蒸留水であることから、植物は天然の加湿器としての働きも有している。
これらの理由から、植物は観賞用のみならず、室内の空気を浄化する天然の浄化装置・加湿器として見直され始めている。
【０００３】
【発明が解決しようとする課題】
ところが、従来の植物は、実験チャンバー内など一定の空間・気候下ではある程度の浄化能力を発揮することができるが、太陽光の照射量減少や人工ルクスの照度低下等の条件悪化を伴うと、実験チャンバー内でのデータ通りには浄化能力を発揮することができない。これは、植物の浄化能力が、光合成速度および蒸散速度に比例することによる。
さらに、１週間半〜１ヶ月程度の長期間連続して実験を行った場合、浄化能力が著しく低下し、浄化装置としての用をなさない。
【０００４】
本発明は、上記問題点に着目してなされたものであって、その目的とするところは、植物の光合成および蒸散速度を高めることによって、照度の少ない室内であっても常に高い大気浄化能力を発揮することができ、天然の空気浄化装置として利用するのに好適な植物を生育することができる植物栽培用薬剤を用いた植物の栽培方法を提供することにある。
【０００５】
【課題を解決するための手段】
上述の課題を解決するため、本発明請求項１記載の植物栽培用薬剤を用いた植物の栽培方法では、石英斑岩の粉砕物と、光合成細菌と、少なくとも珪素とチタンとを含有するミネラル液を組み合わせて植物栽培用薬剤を形成し、花芽分化前に前記植物栽培用薬剤を与え、花芽分化後から開花時期にかけて石英斑岩の粉砕物と、光合成細菌と、有機肥料を組み合わせた薬剤を与えることを特徴とする。
【０００６】
【作用および効果】
請求項１記載の植物栽培用薬剤が植物に与える作用効果は次の通りである。
（石英斑岩）
石英斑岩は、斑状噴出岩あるいは半深成岩であって、石英とアルカリ長石斑晶を微晶質ないし潜晶質石基中に含有する。
石英は、細胞組織の強化や害虫の食害、病原菌の侵入に対する抵抗性を高める作用があり、また、過剰な蒸散を抑制する役割を果たしている。
【０００７】
アルカリ長石は、カリウム長石とナトリウム長石とからなり、アルミニウム、カルシウム、マグネシウム、鉄、ナトリウム、カリウム、チタンおよびマンガンを含んでいる。以下にこれらの成分が植物に与える作用を列記する。
アルミニウムは、生来の生長促進物質のない状態で、茎頂に与えたとき、植物の長軸方向の生長を促進させるオーキシンを生成する作用を有する。
カルシウムは、植物の分裂組織の生長、特に根の先端の正常な発育と機能の遂行効果を有し、細胞膜の中層の構造物であるペクチン酸カルシウムとして存在している。植物の生育に必要な１０元素の１つである。
マグネシウムは、葉緑素の構成要素としてすべての緑色植物にとって必要不可欠なものであり、植物の生育に必要な１０元素の１つである。
鉄は、葉緑素の形成に関係が深く、生体内の酵素の構成分としての働きを有し、カルシウムやマグネシウムと共に、植物の生育に欠くことのできない１０元素の１つである。
ナトリウムは、植物に対しては欠乏症はほとんどあらわれないが、光合成に必須のものである。
カリウムは、イオンの形で細胞液の中に含まれている。作物（植物）中におけるリン酸の形態変化、光合成、蛋白質の合成に関係している。
チタンは、植物に対しては欠乏症はほとんどあらわれないが、光合成に必須のものである。
マンガンは、鉄に伴ってある種の呼吸酵素を構成したり、または蛋白合成に関係する酵素の構成要素であり、葉緑素の合成に必要なものである。
【０００８】
（光合成細菌）
光合成細菌は、嫌気性明条件下または好気的暗条件下のいずれにおいても、すなわち、酸素の無い明るい場所または酸素のある暗い場所で活発に育成する水圏微生物の一種であり、土壌の微生物を活性化させるとともに、根毛の発達を促進し、植物が土粒間の養水分を吸収する機能を高める効果を有している。
【０００９】
よって、請求項１記載の植物栽培用薬剤を植物に与えることによって、植物の健康維持と生長促進、収穫量の増加と収穫期間の短縮、品質向上（葉の色艶向上、肉厚、大きさ、糖度増進）、種苗、植栽時の発根促進、病害の発生防止と病害の回復、連鎖障害の防止、塩害被害の緩和等が図られ、光合成速度および蒸散速度の速い植物が生育される。
したがって、常に高い大気浄化能力を確保することができるので、室内の空気浄化装置として好適な植物を生育することができるという効果が得られる。加えて、従来の加湿機器が微量ながら不純物を放出し、これが健康障害を引き起こす問題となっている昨今においては、無害の加湿器としても有用である。
【００１０】
本発明の植物栽培用薬剤では、光合成細菌により土壌中の微生物を活性化させるとともに根毛の発達を促進し、石英斑岩とミネラル液に含まれる各成分の吸収を活発化させる。
植物は、ある一定気温に合うと急速に花成誘導を起こしてしまい、石英斑岩では十分な量を吸収させることができないが、速効性のあるミネラル液を組み合わせることによって、植物の体質強化に極めて重要な珪素と、光合成に必須のチタンとを十分に吸収させて光合成および蒸散能力を高めることができるので、花芽分化前の薬剤として好適である。
【００１１】
なお、ミネラル液としては、珪素とチタンの他にカルシウム、リンを含むものが好ましく、カルシウムによって根毛の発達がさらに促進され、リンによって光沢のある葉、太く長い茎の植物がつくられる。さらに、マグネシウム、カリウム、ナトリウム、セレン、ゲルマニウム、亜鉛、マンガン、鉄、銅、コバルト、ニッケル、モリブデン、バナジウム、タングステン、バリウム、ルビジウムおよびアルミニウム等、植物の生育に必要あるいは有効な成分が含まれていればなお効果的である。
【００１２】
本発明の植物栽培用薬剤では、光合成細菌と有機肥料により土壌中の微生物の繁殖を促進しつつ、石英斑岩に含まれる各成分の吸収を活発化させる。
花芽分化後は、花芽、葉および根の生長が速くなり、急激に肥大させると花弁が奇形となってしまうので、遅効性の有機肥料を組み合わせたものを使用することでこれを回避しつつ、微生物の繁殖を促進することができる。また、開花時期は、蓄積した養分の消費にあたり、効能の継続性のみを考慮すれば良いので、管理の容易さから花芽分化後と同様の薬剤を用いるのが好ましい。これらの理由から、本発明の植物栽培用薬剤は、花芽分化後から開花時期の薬剤として好適である。
【００１３】
なお、有機肥料としては、ホルムアルデヒド加工尿素肥料、乾燥菌体肥料および骨粉質類が含まれたものが好ましく、肥料全体の重量に対して肥料の３要素である窒素、リンおよびカリウムがそれぞれ１０％ずつ占めるものが適当である。
【００１４】
本発明の栽培方法では、生長速度の速い花芽分化前には速効性のあるミネラル液を与えて十分な体質強化と光合成促進を図り、花芽分化後および開花時期には遅効性の有機肥料を与えて急激な肥大を抑制しつつ養分の吸収を活発化させることで、照度の少ない室内であっても常に高い大気浄化能力を発揮することができ、天然の空気浄化装置として利用するのに好適な植物を育成することができる。加えて、花芽、葉および茎の見栄えを向上させることができ、美しく高品質で商品価値の高い植物を生育することができるという効果を奏する。
【００１５】
ここで、本発明の植物栽培用薬剤の用土（土壌）１リットルに対する各成分の分量について、（１）花弁分化前、（２）花弁分化後および（３）開花時期に分けてそれぞれ具体的に説明する。
（１）花芽分化前
イ）石英斑岩の粉砕物は、０．３〜４ｇの範囲で効果があり、０．６〜２ｇの範囲を気候等の諸条件に合わせて調節して与えるのが好ましい。また、粉砕物の大きさとしては、粉末（一辺の長さが１ｍｍのメッシュを通らないもの）と１ｍｍ3 の細粒（１ｍｍのメッシュを通り２ｍｍのメッシュを通らないもの）を同重量ずつ用いるのが良い。
ロ）光合成細菌は、例えば適量のクロレラを蒸留水等で３０００〜１００００培程度に薄めたものを与えるのが最も好ましい。
ハ）ミネラル液は、珪素１１．３０ｐｐｍ，チタン１０５．６０ｐｐｍを含むものを蒸留水等で５００〜２０００培程度に薄めたものを与えるのが良い。
（２）花芽分化後
イ）石英斑岩の粉砕物は、０．６５〜４ｇの範囲で効果があり、１．３〜２ｇの範囲を気候等の諸条件に合わせて調節して与えるのが好ましい。また、粉砕物の大きさとしては、１ｍｍ3 の細粒と３ｍｍ3 の細粒（３ｍｍのメッシュを通り４ｍｍのメッシュを通らないもの）を同重量ずつ用いるのが好ましい。
ロ）光合成細菌は、（１）の花芽分化前と同じである。
ハ）有機肥料は、上述したように肥料全体の重量に対して窒素、リンおよびカリウムがそれぞれ１０％ずつの割合を占めるものを、０．２５〜４ｇの範囲で与えると効果があり、０．５〜２ｇの範囲が最も好ましい。
（３）開花時期
イ）石英斑岩の粉砕物は、（１）の花芽分化前と同じである。
ロ）光合成細菌は、（１）の花芽分化前と同じである。
ハ）有機肥料は、（２）の花芽分化後と同じである。
【００１６】
【発明の実施の形態】
以下に、本発明の実施の形態を説明する。
本実施の形態の植物栽培用薬剤は、花芽分化前、花芽分化後および開花時期に土壌に混入して使用するものであって、その成分を以下に示す。
（花芽分化前の植物栽培用薬剤Ａ）
石英斑岩の粉砕物…粉末０．５ｇと１ｍｍ3 程度の細粒０．５ｇを土壌に散布する。（合計１回）
ミネラル液…珪素１１．３０ｐｐｍ、チタン１０５．６０ｐｐｍ、カルシウム５０．０ｐｐｍ、リン２５．４ｐｐｍ、マグネシウム１０．３０ｐｐｍ、カリウム２２４．０ｐｐｍ、ナトリウム２４．９ｐｐｍ、セレン２．６５ｐｐｍ、ゲルマニウム８．９６ｐｐｍ、亜鉛２．４１ｐｐｍ、マンガン２０．５０ｐｐｍ、鉄３２８．９５ｐｐｍ、銅０．５５ｐｐｍ、コバルト０．９９ｐｐｍ、ニッケル０．３９ｐｐｍ、モリブデン０．７４ｐｐｍ、バナジウム３．１６ｐｐｍ、タングステン１．００ｐｐｍ、バリウム０．０１ｐｐｍ、ルビジウム０．５ｐｐｍおよびアルミニウム１３００．００ｐｐｍを含んだもの適量を、蒸留水等で１０００培程度薄めて土壌に混入、または植物に直接かける。（毎日与える）
光合成細菌…クロレラを蒸留水等で５０００培程度薄めて土壌に混入、または植物に直接かける。（合計１回）
【００１７】
（花芽分化後用の植物栽培用薬剤Ｂ）
石英斑岩の粉砕物…１ｍｍ3 の細粒０．５ｇと３ｍｍ3 の細粒１ｇを土壌に散布する。
（合計１回）
有機肥料…ホルムアルデヒド加工尿素肥料１０重量％、乾燥菌体肥料１０重量％、骨粉質類１０重量％を含むもの１ｇを土壌に混入する。（合計１回）
光合成細菌…クロレラを蒸留水等で１００００培程度薄めて土壌に混入、または植物に直接かける。（合計１回）
【００１８】
（開花時期用の植物栽培用薬剤Ｃ）
石英斑岩の粉砕物…粉末０．５ｇと１ｍｍ3 程度の細粒１ｇを土壌に散布する。（合計１回）
有機肥料…Ｂに同じ。
光合成細菌…Ａに同じ。
【００１９】
土壌の成分は、田土１０％、腐葉土１０％、鹿沼土１０％、パーライト１０％、バーミキュライト（蛭石）１０％、ヤキヌカ１０％、赤土１０％、調整ピート３０％とした。
【００２０】
【実施例】
次に、実施例を用いて本発明をさらに詳細に説明する。
（実施例１）
上述の植物栽培用薬剤Ａ，Ｂ，Ｃを用いて、光下と暗黒下でそれぞれシクラメンの栽培実験を実施したものをそれぞれ実施例１ａ，１ｂとし、一方植物栽培用薬剤Ａ，Ｂ，Ｃを用いることなく通常の方法でシクラメンを栽培したものを光下と暗黒下でそれぞれ比較例１ａ，１ｂとし、生長したシクラメンの水分吸収量、塩類の吸収量および根の糖含量を測定した。
測定結果を下表に示す。
【００２１】
【表１】
0003607193.tif 000002
【００２２】
地上部新鮮量１ｇ当たりの吸収した水分量は、実施例１ａが９．６０ｍｌと最も多く、次いで比較例１ａの７．６０ｍｌ、実施例１ｂの６．９０ｍｌ、比較例１ｂの１．４９ｍｌという結果となったが、実施例１ｂは比較例１ａとほとんど差が無いことから、植物栽培用薬剤Ａ，Ｂ，Ｃを用いることで、通常は蒸散量が激減する暗黒下においても充分な蒸散が行われていることが分かった。
全新鮮量１ｇ当たりの塩類の吸収量は、実施例１ａ，１ｂが共に高く、カリウム（Ｋ）がそれぞれ１０．８５ｍｌ×１０2 と１０．４０×１０2 、臭素（Ｂｒ）がそれぞれ９．５２×１０2 と９．６５×１０2 であり、比較例１ａに対して２培程度の数値を示した。
実験終了時の根の糖含量は、実施例１ａが３．５ｇ／ｌと最も多く、次いで実施例１ｂの２．５ｇ／ｌ、比較例１ａの１．１ｇ／ｌ、比較例１ｂの０．３ｇ／ｌとなった。
【００２３】
上記の実験結果から、本実施の形態の植物栽培用薬剤Ａ，Ｂ，Ｃを用いることによって、シクラメンの水分吸収量、塩類の吸収量および根の糖含量が著しく高められることが明らかであり、これは光合成速度および蒸散速度、すなわち大気浄化能力が向上していると判断することができるものである。
【００２４】
（実施例２）
次に、実験チャンバー内にホルムアルデヒド２０ｐｐｍを噴霧し、ホルムアルデヒド雰囲気下においてポトスの浄化能力を測定した。植物栽培用薬剤Ａ，Ｂ，Ｃを用いて栽培したものを実施例２、植物栽培用薬剤Ａ，Ｂ，Ｃを用いることなく通常の方法で栽培したものを比較例２とし、時間と酸素放出量との関係を計測した。
【００２５】
図１において、実線は実施例２のＡＭＳ（アンモニア）センサでの測定結果、破線は実施例２のＣＧＳ（可燃性ガス）センサでの測定結果、一点鎖線は比較例２の測定結果を示す。
図で明らかなように、実施例２が比較例２よりも酸素の放出量（Ｖ）が多くなっている。
【００２６】
続いて、上記測定結果に基づいて、次式により浄化能力を算出する。
Ｐα ＝（ｈ／ｔｗ ）×１００  …式１
ここで、Ｐα は浄化能力、ｈはＡＭＳ（アンモニア）センサのベースレベルからの高さ、ｔｗは半値幅である（図２参照）。
【００２７】
式１に基づいて算出した実施例２と比較例２の浄化能力Ｐαは、それぞれ次の通りである。なお、実施例２についてはセンサ別の値を平均して算出した。
実施例２の大気浄化能力Ｐα ＝１５．１
比較例２の大気浄化能力Ｐα ＝３０．０
【００２８】
以上、本発明の実施の形態を説明してきたが、本発明の具体的な構成は本実施の形態に限定されるものではなく、発明の要旨を逸脱しない範囲の設計変更等があっても本発明に含まれる。
石英斑岩の粉砕物、光合成細菌、ミネラル液、有機肥料の分量は、本実施の形態で述べた例に限定されず、気温、日照、湿度および水質等の自然条件によって適宜変化させることで最適な分量とする。
【図面の簡単な説明】
【図１】実施例２の時間と酸素放出量との関係を示す図である。
【図２】パラメータｈとｔｗの意味を示す図である。
【図１】
0003607193.tif 000003
【図２】
0003607193.tif 000004